(57)【要約】【課題】熱溶着に依らず、ブリスターパック内への異物の進入を効果的に抑制する。【解決手段】ブリスターパック１０は、第１部品２０及び第２部品４０を有する。第１部品は、第１基部４５と、第１基部の第１縁２５ｃに揺動可能に接続した延長部３０と、を有する。第２部品４０は、第１部品に保持された状態で第１基部と重ねて配置される第２基部４５を有する。延長部を第１基部上に揺動させた状態で、延長部、第２基部および第１基部を貫通してブリスターパックの周縁１０ｃまで延びる溝１６が設けられている。溝に隣接する位置に、延長部、第２基部および第１基部によって、ブリスターパックを吊り下げるためのフック１５が形成される。【選択図】図１
2019006440.tif 000002
【特許請求の範囲】
【請求項１】
第１部品と、前記第１部品に保持される第２部品と、を備え、前記第１部品と前記第２部品との間に収容空間を形成するブリスターパックであって、
前記第１部品は、第１基部と、前記第１基部の縁に揺動可能に接続した延長部と、を有し、
前記第２部品は、前記第１部品に保持された状態で前記第１基部と重ねて配置される第２基部を有し、
前記延長部と前記第１基部との間に前記第２基部が位置するようにして前記延長部を前記第１基部に対して揺動させた状態で、前記延長部、前記第２基部および前記第１基部を貫通して前記ブリスターパックの周縁まで延びる溝が設けられ、且つ、前記溝に隣接する位置に、前記延長部、前記第２基部および前記第１基部によって、前記ブリスターパックを吊り下げるためのフックが形成される、ブリスターパック。
【請求項２】
前記第１基部は、前記延長部が接続した前記縁の両側に位置する一対の側縁を、更に含み、
前記第１部品は、前記一対の側縁の少なくとも一方において前記第１基部に接続し且つ前記第１基部との間に保持溝を形成する折曲側縁部を、更に有し、
前記第２部品は、前記第２基部の側縁が前記保持溝内に配置されることで前記第１部品に保持され、
前記延長部と前記第１基部との間に前記第２基部が位置するように前記延長部を前記第１基部に対して揺動させた状態で、前記延長部の一部が前記保持溝内に配置される、請求項１に記載のブリスターパック。
【請求項３】
前記第１部品は、前記一対の側縁の各々において前記第１基部に接続し且つ前記第１基部との間に保持溝をそれぞれ形成する一対の折曲側縁部を、有し、
前記第２部品は、前記第２基部の一対の側縁が前記保持溝内に配置されることで前記第１部品に保持され、
前記第１基部の前記一対の側縁を結ぶ方向に沿った前記延長部の幅は、前記一部を含む領域において、前記第１基部の前記縁から離間するにつれて狭くなっていく、請求項２に記載のブリスターパック。
【請求項４】
前記延長部は、前記第１基部の前記縁に揺動可能に接続した延長連結部と、前記延長連結部に揺動可能に接続した延長本体部と、を有する、請求項１〜３のいずれか一項に記載のブリスターパック。
【請求項５】
前記第１部品は、前記溝に隣接する前記第１基部の縁において前記第１基部に揺動可能に接続した揺動部を有し、
前記揺動部と前記第１基部との間に前記第２基部が位置するように前記第１基部に対して前記揺動部を揺動可能である、請求項１〜４のいずれか一項に記載のブリスターパック。
【請求項６】
前記揺動部が接続する前記第１基部の前記縁は、前記延長部が接続する前記第１基部の前記縁から離間する側から前記溝に隣接する、請求項５に記載のブリスターパック。
【請求項７】
前記第１基部は、前記延長部が接続した前記縁の両側に位置する一対の側縁を、更に含み、
前記第１部品は、前記一対の側縁の少なくとも一方において前記第１基部に接続し且つ前記第１基部との間に保持溝を形成する折曲側縁部を、更に有し、
前記第２部品は、前記第２基部の側縁が前記保持溝内に配置されることで前記第１部品に保持され、
前記揺動部が接続する前記第１基部の前記縁は、前記第１基部の前記一対の側縁が延びる方向において、前記折曲側縁部が設けられている領域内に配置されている、請求項５又は６に記載のブリスターパック。
【請求項８】
前記揺動部は、前記第１基部に揺動可能に接続した揺動連結部と、前記揺動連結部に揺動可能に接続した揺動本体部と、を有する、請求項５〜７のいずれか一項に記載のブリスターパック。
【請求項９】
少なくとも一部分において、前記延長部、前記揺動部、前記第２基部、前記第１基部の順番で重なっている、請求項５〜８のいずれか一項に記載のブリスターパック。
【請求項１０】
少なくとも一部分において、前記揺動部、前記延長部、前記第２基部、前記第１基部の順番で重なっている、請求項５〜８のいずれか一項に記載のブリスターパック。
【請求項１１】
前記揺動部は、前記揺動部が接続した前記第１基部の前記縁から離間する側に突出した突出部を有し、
前記延長部は、前記突出部を差し込み可能な穴を設けられている、請求項５〜１０のいずれか一項に記載のブリスターパック。
【請求項１２】
第１部品と、前記第１部品に保持される第２部品と、を備え、前記第１部品と前記第２部品との間に収容空間を形成するブリスターパックであって、
前記第１部品は、第１基部と、前記第１基部の縁に揺動可能に接続した延長部と、を有し、
前記第２部品は、前記第１部品に保持された状態で前記第１基部と重ねて配置される第２基部を有し、
前記延長部と前記第１基部との間に前記第２基部が位置するようにして前記延長部を前記第１基部に対して揺動させた状態で、前記延長部、前記第２基部および前記第１基部を貫通する吊り下げ用の孔または溝が設けられている、ブリスターパック。
【発明の詳細な説明】
【技術分野】
【０００１】
本発明は、ブリスターパックに関する。
【背景技術】
【０００２】
日用品、乳幼児用品、事務用品、電化製品等の物品を包装する容器として、ブリスターパックが、広く普及している。ブリスターパックは、典型的には、物品を収容するための膨出部が中央に形成された第１部品と、第１部品に対面する位置に保持される平板状の第２部品と、を有している。ブリスターパックは、孔や、溝の形成によって得られるフックを有しており、陳列用の棒に吊り下げることによって陳列される。すなわち、ブリスターパックによれば、包装製品を載置する棚を用意することなく陳列を行うことができ、陳列スペースの省スペース化に資する。とりわけフック式のブリスターパックは、陳列順によらず、吊り下げ棒から取り外すことができる。したがって、色等の異なる包装製品を同一の陳列用棒を用いて陳列することができ、陳列スペースをより効果的に節約することができる。
【０００３】
ブリスター容器における第１部品及び第２部品の固定方法として、第１部品及び第２部品の周縁を熱溶着する熱溶着式が広く普及している。また、熱溶着式以外の固定方法として、第２部品の縁を第１部品の折り返した縁等で保持する挟み込み式も知られている。熱溶着式は、費用や作業効率の面で好ましくない。その一方で、挟み込み式等の熱溶着以外の方法では、第１部品及び第２部品の間に隙間が形成され、この隙間を介して、異物が物品の収容空間に進入しやすくなる。このため、人の口に入る可能性のある日用品や乳幼児用品等の特定分野では、熱溶着式以外のブリスターパックは使用されてこなかった。
【先行技術文献】
【特許文献】
【０００４】
【特許文献１】特開平０８−１８４２７３号公報
【発明の概要】
【発明が解決しようとする課題】
【０００５】
本発明は、以上の点を考慮してなされたものであって、熱溶着に依らず、ブリスターパック内への異物の進入を効果的に抑制し得るようにすること、を目的とする。
【課題を解決するための手段】
【０００６】
本発明による第１のブリスターパックは、
第１部品と、前記第１部品に保持される第２部品と、を備え、前記第１部品と前記第２部品との間に収容空間を形成するブリスターパックであって、
前記第１部品は、第１基部と、前記第１基部の縁に揺動可能に接続した延長部と、を有し、
前記第２部品は、前記第１部品に保持された状態で前記第１基部と重ねて配置される第２基部を有し、
前記延長部と前記第１基部との間に前記第２基部が位置するようにして前記延長部を前記第１基部に対して揺動させた状態で、前記延長部、前記第２基部および前記第１基部を貫通して前記ブリスターパックの周縁まで延びる溝が設けられ、且つ、前記溝に隣接する位置に、前記延長部、前記第２基部および前記第１基部によって、前記ブリスターパックを吊り下げるためのフックが形成される。
【０００７】
本発明による第２のブリスターパックは、
第１部品と、前記第１部品に保持される第２部品と、を備え、前記第１部品と前記第２部品との間に収容空間を形成するブリスターパックであって、
前記第１部品は、第１基部と、前記第１基部の縁に揺動可能に接続した延長部と、を有し、
前記第２部品は、前記第１部品に保持された状態で前記第１基部と重ねて配置される第２基部を有し、
前記延長部と前記第１基部との間に前記第２基部が位置するようにして前記延長部を前記第１基部に対して揺動させた状態で、前記延長部、前記第２基部および前記第１基部を貫通する吊り下げ用の孔または溝が設けられている。
【０００８】
本発明による第１又は第２のブリスターパックにおいて、
前記第１基部は、前記延長部が接続した前記縁の両側に位置する一対の側縁を、更に含み、
前記第１部品は、前記一対の側縁の少なくとも一方において前記第１基部に接続し且つ前記第１基部との間に保持溝を形成する折曲側縁部を、更に有し、
前記第２部品は、前記第２基部の側縁が前記保持溝内に配置されることで前記第１部品に保持され、
前記延長部と前記第１基部との間に前記第２基部が位置するように前記延長部を前記第１基部に対して揺動させた状態で、前記延長部の一部が前記保持溝内に配置されていてもよい。
【０００９】
本発明による第１又は第２のブリスターパックにおいて、
前記第１部品は、前記一対の側縁の各々において前記第１基部に接続し且つ前記第１基部との間に保持溝をそれぞれ形成する一対の折曲側縁部を、有し、
前記第２部品は、前記第２基部の一対の側縁が前記保持溝内に配置されることで前記第１部品に保持され、
前記第１基部の前記一対の側縁を結ぶ方向に沿った前記延長部の幅は、前記一部を含む領域において、前記第１基部の前記縁から離間するにつれて狭くなっていくようにしてもよい。
【００１０】
本発明による第１又は第２のブリスターパックにおいて、
前記延長部は、前記第１基部の前記縁に揺動可能に接続した延長連結部と、前記延長連結部に揺動可能に接続した延長本体部と、を有するようにしてもよい。
【００１１】
本発明による第１又は第２のブリスターパックにおいて、
前記第１部品は、前記溝に隣接する前記第１基部の縁において前記第１基部に揺動可能に接続した揺動部を有し、
前記揺動部と前記第１基部との間に前記第２基部が位置するように前記第１基部に対して前記揺動部を揺動可能としてもよい。
【００１２】
本発明による第１又は第２のブリスターパックにおいて、前記揺動部が接続する前記第１基部の前記縁は、前記延長部が接続する前記第１基部の前記縁から離間する側から前記溝に隣接するようにしてもよい。
【００１３】
本発明による第１又は第２のブリスターパックにおいて、
前記第１基部は、前記延長部が接続した前記縁の両側に位置する一対の側縁を、更に含み、
前記第１部品は、前記一対の側縁の少なくとも一方において前記第１基部に接続し且つ前記第１基部との間に保持溝を形成する折曲側縁部を、更に有し、
前記第２部品は、前記第２基部の側縁が前記保持溝内に配置されることで前記第１部品に保持され、
前記揺動部が接続する前記第１基部の前記縁は、前記第１基部の前記一対の側縁が延びる方向において、前記折曲側縁部が設けられている領域内に配置されていてもよい。
【００１４】
本発明による第１又は第２のブリスターパックにおいて、前記揺動部は、前記第１基部に揺動可能に接続した揺動連結部と、前記揺動連結部に揺動可能に接続した揺動本体部と、を有するようにしてもよい。
【００１５】
本発明による第１又は第２のブリスターパックにおいて、前記延長部と前記第１基部との間に前記第２基部が位置するように前記延長部を前記第１基部に対して揺動させ、且つ、前記揺動部と前記第１基部との間に前記第２基部が位置するように前記揺動部を前記第１基部に対して揺動させた状態において、前記延長部及び前記揺動部は、少なくとも部分的に重なりあっていてもよい。
【００１６】
本発明による第１又は第２のブリスターパックにおいて、少なくとも一部分において、前記延長部、前記揺動部、前記第２基部、前記第１基部の順番で重なっていてもよい。
【００１７】
本発明による第１又は第２のブリスターパックにおいて、少なくとも一部分において、前記揺動部、前記延長部、前記第２基部、前記第１基部の順番で重なっていてもよい。
【００１８】
本発明による第１又は第２のブリスターパックにおいて、
前記揺動部は、前記揺動部が接続した前記第１基部の前記縁から離間する側に突出した突出部を有し、
前記延長部は、前記突出部を差し込み可能な穴を設けられていてもよい。
【発明の効果】
【００１９】
本発明によれば、熱溶着に依らず、ブリスターパック内への異物の進入を効果的に抑制することができる。
【図面の簡単な説明】
【００２０】
【図１】本発明による一実施の形態を説明するための図であって、ブリスターパックを示す斜視図。
【図２】図１に示されたブリスターパックの第１部品を背面側から示す平面図。
【図３】図１に示されたブリスターパックの第２部品を背面側から示す平面図。
【図４】図１に示されたブリスターパックにおける第２部品を第１部品へ取り付ける方法を説明するための図であって、第１部品及び第２部品を背面側から示す平面図。
【図５】図１に示されたブリスターパックにおける第２部品を第１部品へ取り付ける方法を説明するための図であって、第１部品及び第２部品を背面側から示す平面図。
【図６】図１に示されたブリスターパックにおける第２部品を第１部品へ取り付ける方法を説明するための図であって、第１部品及び第２部品を背面側から示す平面図。
【図７】図６のＶＩＩ−ＶＩＩ線に沿った断面図。
【図８】図６に対応する図であって、ブリスターパックの一変形例を示す図。
【図９】図８のＩＸ−ＩＸ線に沿った断面図。
【発明を実施するための形態】
【００２１】
以下、図面を参照して本発明の一実施の形態について説明する。
【００２２】
図１〜図９は、本発明の一実施の形態を説明するための図であって、一実施の形態の具体例を示す図である。本実施の形態に係るブリスターパック１０は、第１部品２０及び第２部品４０を有している。第１部品２０及び第２部品４０の間に、包装対象物を収容する収容空間Ｓが形成される。このブリスターパック１０には、熱溶着以外の方法で、第１部品２０によって第２部品４０を保持することを可能にしながら、収容空間Ｓへの異物の進入を効果的に抑制することも可能にするための工夫が、なされている。
【００２３】
図示された具体例では、第１部品２０に形成された保持溝２２に第２部品４０の側縁を挟み込むことにより、熱溶着式と比較して、第２部品４０を第１部品２０に格段に容易かつ安価に保持することができる。また、ブリスターパック１０には、第１部品２０及び第２部品４０を貫通して延び且つ切欠状に一端が開口した溝１６が形成されている。そして、この溝１６によって、ブリスターパック１０を陳列用棒ｒから吊り下げることを可能にするフック１５が形成されている。本実施の形態で採用された収容空間Ｓへの異物の進入を抑制する工夫は、後述するように、ブリスターパック１０に剛性を付与することもできる。すなわち、これまで挟み込み等の熱溶着式以外のブリスターパックでは、剛性の低下を理由に、フック式を採用することが難しいとされてきたが、以下に説明するブリスターパック１０の具体例では、第１部品２０への第２部品４０の取り付けを容易かつ安価に実施することを可能にしながら、併せて、収容空間Ｓへの異物の進入を効果的に抑制することを可能にするとともに、さらに剛性を付与してフック１５の採用を可能にしている。
【００２４】
図１に示すように、図示されたブリスターパック１０は、第１側縁１０ａ及び第２側縁１０ｂと、一対の側縁１０ａ，１０ｂの間を延びる第１縁１０ｃ及び第２縁１０ｄを含んでいる。図１に示すように、溝１６は、ブリスターパック１０の第１縁１０ｃに開口している。この開口１６ａから溝１６内に陳列用棒ｒを挿入することができる。また、溝１６の先端１６ｂは、第１側縁１０ａの側に向いている。この先端１６ｂの位置に陳列用棒ｒが配置されることで、フック１５が陳列用棒ｒに引っ掛かり、ブリスターパック１０を吊り下げるようにして安定して保持することができる。ブリスターパック１０が吊り下げられた状態で、第１縁１０ｃが上方を向く上縁を形成し、第２縁１０ｄが下方を向く下縁を形成する。
【００２５】
以下、第１部品２０及び第２部品４０の構成を順に説明する。
【００２６】
第１部品２０は、第１基部２５、折曲側縁部２１及び延長部３０を含んでいる。また、図示された例において、第１部品２０は、揺動部３５を更に有している。このうち、第１基部２５は、ブリスターパック１０の輪郭を画成する。一方、折曲側縁部２１、延長部３０及び揺動部３５は、それぞれ特定の機能を期待されて設けられており、第１基部２５に接続している。典型的には、第１部品２０をなす第１基部２５、折曲側縁部２１、延長部３０及び揺動部３５は、一枚の樹脂製シートを加工することで一体的に形成され得る。また、図示された例では、第１部品２０の第１基部２５が、収容空間Ｓを画成する膨出部２７を含んでいる。したがって、ブリスターパック１０に収容された状態で包装対象品の視認性を確保するため、第１基部２５は透明とすることができ、第１部品２０全体を透明としてもよい。以下、第１部品２０の各構成要素について説明する。
【００２７】
図１に示すように、第１基部２５は、収容空間Ｓを形成するための膨出部２７に加え、膨出部２７に接続した平坦部２６を有している。平坦部２６は、後述する第２部品４０の第２基部４５に対応した形状、例えば面接触し得る形状となっている。一方、膨出部２７は、第２部品４０の第２基部４５から離間し、第２基部４５の間に包装対象品を収容する収容空間Ｓを形成する。したがって、膨出部２７の三次元的な形状は、包装対象品の形状に応じて適宜設計される。図１に示された例において、膨出部２７は、四角錐台状の収容空間Ｓを形成する輪郭を有している。
【００２８】
図２に示すように、図示された例での平坦部２６は、仮想平面上に広がっている。平坦部２６は、膨出部２７を周状に包囲している。この結果、第１基部２５の周縁は、平坦部２６によって画成されている。図２に示すように、第１基部２５は、第１方向ｄ１に延びる第１側縁２５ａ及び第２側縁２５ｂと、一対の側縁２５ａ，２５ｂの間を第２方向ｄ２の延びる第１縁２５ｃ及び第２縁２５ｄを有している。また、第１基部２５は、第１縁２５ｃに通じる欠損部２９を含んでいる。この欠損部２９は、ブリスターパック１０の溝１６を形成する。なお、図示された例において、第１方向ｄ１及び第２方向ｄ２は直交しているが、この例に限られず、第１方向ｄ１が第２方向ｄ２に対して傾斜していてもよい。
【００２９】
図１に示すように、ブリスターパック１０の周縁は、第１基部２５によって画成されている。図１に示すように、ブリスターパック１０の第１側縁１０ａは、第１基部２５の第１側縁２５ａに沿って第１方向ｄ１に延び、ブリスターパック１０の第２側縁１０ｂは、第１基部２５の第２側縁２５ｂに沿って第１方向ｄ１延びている。ブリスターパック１０の第３側縁１０ｃは、第１基部２５の第３側縁２５ｃに沿って第２方向ｄ２に延び、ブリスターパック１０の第４側縁１０ｄは、第１基部２５の第４側縁２５ｄに沿って第２方向ｄ２に延びている。
【００３０】
次に、折曲側縁部２１について説明する。折曲側縁部２１は、第１基部２５に接続している。折曲側縁部２１は、第１基部２５に対面するようにして配置されている。すなわち、第１基部２５及び折曲側縁部２１は、折れ曲がった部分を形成している。折曲側縁部２１は、折れ曲がった部分として、第１基部２５との間に保持溝２２を形成する。保持溝２２は、後述する第２部品４０の第２基部４５の周縁を収容する。
【００３１】
図示された例において、折曲側縁部２１として、三つの折曲側縁部２１ａ，２１ｂ，２１ｃが設けられている。第１折曲側縁部２１ａは、第１基部２５の第１側縁２５ａに接続し、第１方向ｄ１に沿って細長く延びている。第２折曲側縁部２１ｂは、第１基部２５の第２側縁２５ｂに接続し、第１方向ｄ１に沿って細長く延びている。第３折曲側縁部２１ｄは、第１基部２５の第２縁２５ｄに接続し、第２方向ｄ２に沿って細長く延びている。折曲側縁部２１は、第１基部２５を形成するようになる樹脂製シートを熱プレス等によって塑性変形させることで、第１基部２５と一体的に作製され得る。
【００３２】
次に、延長部３０について説明する。延長部３０は、第１基部２５の周縁のうちの一部分において、第１基部２５に接続している。図示された具体例では、図２に示すように、第１基部２５は、一対の側縁２５ａ，２５ｂの間を延びる第１縁２５ｃにおいて、第１基部２５に接続している。延長部３０は、第１基部２５に対して揺動可能となっている。延長部３０は、第１基部２５に対して揺動することで、図１及び図６に示すように、第１基部２５の平坦部２６に対面する位置に配置され得る。すなわち、延長部３０は、第１基部２５と重なる位置まで、第１基部２５に対して揺動することができる。また、図２及び図５に示すように、延長部３０は、貫通開口としての欠損部３４を設けられている。図１及び図６に示すように、この欠損部３４は、延長部３０が第１基部２５と重なった状態において、第１基部２５の欠損部２９と重なる。延長部３０の欠損部３４は、第１基部２５の欠損部２９とともに、ブリスターパック１０の溝１６を形成する。
【００３３】
図１及び図６に示すように、図示された延長部３０は、第１基部２５上に揺動した状態で、その一部が保持溝２２内に収容され得る。具体的には、延長部３０は、第１縁２５ｃから離間した領域において、第２方向ｄ２に沿った両端部を一対の保持溝２２内に配置され得る。このため、図５及び図６に示すように、第１基部２５の一対の側縁２５ａ，２５ｂを結ぶ第２方向ｄ２に沿った延長部３０の幅Ｗは、第１縁２５ｃから離間した領域において、一対の側縁２５ａ，２５ｂの間の距離よりも短くなっている。その一方で、延長部３０の幅Ｗは、第１縁２５ｃから離間した領域において、一対の側縁２５ａ，２５ｂに接続する第１折曲側縁部２１ａ及び第２折曲側縁部２１ｂの離間距離ｄｘ以上となっている。さらに、延長部３０の幅Ｗは、第１縁２５ｃから離間した領域において、第１基部２５の第１縁２５ｃから離間するにつれてしだいに狭くなっている。
【００３４】
また、図５に示すように、図示された延長部３０は、第１基部２５の第１縁２５ｃに揺動可能に接続した延長連結部３１と、延長連結部３１に揺動可能に接続した延長本体部３２と、を有している。延長連結部３１と第１基部２５は、第１縁２５ｃ上に位置する第１揺動軸線ｄｓ１を中心として相対揺動可能となっている。延長本体部３２と延長連結部３１は、両者の境界上に位置する第２揺動軸線ｄｓ２を中心として相対揺動可能となっている。第１揺動軸線ｄｓ１及び第２揺動軸線ｄｓ２は、図示された例において平行となっている。延長連結部３１の第１方向ｄ１に沿った長さは、後述する第２部品４０の第２基部４５の厚み以上となっていることが好ましい。
【００３５】
延長部３０は、第１基部２５を形成するようになる樹脂製シートを用いて第１基部２５と一体的に作製され得る。この際、第１基部２５の欠損部２９及び延長部３０の欠損部３４は、例えば打ち抜き加工等により、樹脂製シートから取り除かれるようにしてもよい。また、樹脂製シートの第１揺動軸線ｄｓ１及び第２揺動軸線ｄｓ２を形成する部分には、揺動を案内するための揺動促進手段が樹脂製シートに形成されていることが好ましい。この揺動促進手段は、揺動軸線ｄｓ３，ｄｓ４に沿って樹脂製シートに間欠的に設けられた貫通孔の集合や、揺動軸線ｄｓ３，ｄｓ４に沿って連続的に設けられた有底孔又は間欠的に設けられた複数の有底孔の集合とすることができる。
【００３６】
次に、揺動部３５について説明する。揺動部３５は、第１基部２５の縁のうちの溝１６に隣接する部分２５ｅ、すなわち第１基部２５の縁のうちの溝１６を区画する部分２５ｅにおいて、第１基部２５に接続している。揺動部３５は、第１基部２５に対して揺動可能となっている。揺動部３５は、第１基部２５に対して揺動することで、図１及び図５に示すように、第１基部２５の平坦部２６に対面する位置に配置され得る。すなわち、延長部３０は、第１基部２５と重なる位置まで、第１基部２５に対して揺動することができる。一方、図２に示すように、揺動部３５は、第１基部２５に対して揺動することで、第１基部２５の欠損部２９内に配置され得る。すなわち、揺動部３５は、第１基部２５の欠損部２９内に配置され得る形状を有している。
【００３７】
図２に示すように、揺動部３５は、第１基部２５の欠損部２９の一部分と同一の形状を有している。このような揺動部３５は、欠損部２９を第１基部２５によって作製する際に、本来廃棄されるべき部分又はその一部分として作製することができる。なお、図６に示すように、図示された例において、欠損部２９によって形成される溝１６は、第１縁１０ｃ上の開口１６ａから第１方向ｄ１に延びる基端部１６ｃと、基端部１６ｃから第２方向ｄ２に延びる中間部１６ｄと、中間部１６ｄから第１方向ｄ１に先端１６ｂまで延びる先端部１６ｅと、を含んでいる。図示された揺動部３５は、溝１６の中間部１６ｄ及び先端部１６ｅを合わせた形状を有している。揺動部３５は、先端部１６ｅに対応する部分として、第１方向ｄ１に突出した突出部３８を有している。
【００３８】
揺動部３５は、溝１６のうちの第１方向ｄ１と非平行に延びる部分１６ｄに隣接する第１基部２５の縁２５ｅから延び出している。とりわけ、揺動部３５が接続する第１基部２５の縁２５ｅは、延長部３０が接続する第１基部２５の第１縁２５ｃから離間する側、すなわち第２縁２５ｄ側から溝１６を区画する。図示された例において、揺動部３５が接続する第１基部２５の縁２５ｅは、溝１６のうちの中間部１６ｄに隣接して第２方向ｄ２に延びる第１基部２５の一対の縁のうちの、第１方向ｄ１における第１縁２５ｃとは反対側、すなわち第１方向ｄ１における第２縁２５ｄ側に位置している。この縁２５ｅは、第１方向ｄ１において、第１折曲側縁部２１ａ及び第２折曲側縁部２１ｂが設けられている領域に位置している。
【００３９】
なお、図６に示すように、第１基部２５上に揺動した延長部３０と第１基部２５上に揺動した揺動部３５は、第１方向ｄ１における第１基部２５よりも第２縁２５ｄ側となる領域において、少なくとも部分的に重なり合うようになる。
【００４０】
また、図２に示すように、図示された揺動部３５は、第１基部２５の縁２５ｅに揺動可能に接続した揺動連結部３６と、揺動連結部３６に揺動可能に接続した揺動本体部３７と、を有している。揺動連結部３６と第１基部２５は、縁２５ｅ上に位置する第３揺動軸線ｄｓ３を中心として相対揺動可能となっている。揺動本体部３７と揺動連結部３６は、両者の境界上に位置する第４揺動軸線ｄｓ４を中心として相対揺動可能となっている。第３揺動軸線ｄｓ３及び第４揺動軸線ｄｓ４は、図示された例において平行となっている。揺動連結部３６の第１方向ｄ１に沿った長さは、後述する第２部品４０の第２基部４５の厚み以上となっていることが好ましい。
【００４１】
揺動部３５は、上述したように第１基部２５を形成するようになる樹脂製シートに欠損部２９に沿った切れ目を形成することで一体的に作製され得る。また、樹脂製シートの第３揺動軸線ｄｓ３及び第４揺動軸線ｄｓ４を形成する部分には、揺動を案内するための揺動促進手段が樹脂製シートに形成されていることが好ましい。この揺動促進手段は、揺動軸線ｄ３，ｄ４に沿って樹脂製シートに間欠的に設けられた貫通孔の集合や、揺動軸線ｄ３，ｄ４に沿って樹脂製シートに間欠的または連続的に設けられた単一の有底孔又は有底孔の集合とすることができる。
【００４２】
次に、第２部品４０について説明する。第２部品４０は、第１部品２０に保持された状態で第１基部２５と重ねて配置される第２基部４５を有している。
【００４３】
図示された例において、第２基部４５は、第１基部２５と同一の平面形状を有している。図３に示すように、第２基部４５は、第１側縁４５ａ及び第２側縁４５ｂと、一対の側縁４５ａ，４５ｂの間を延びる第１縁４５ｃ及び第２縁４５ｄと、を含んでいる。第１部品２０によって第２部品４０が保持された状態において、第２基部４５の第１側縁４５ａ及び第２側縁４５ｂは、それぞれ、第１基部２５の第１側縁２５ａ又は第２側縁２５ｂと向かい合って、第１方向ｄ１に延びる。また、第１部品２０によって第２部品４０が保持された状態において、第２基部４５の第１縁４５ｃ及び第２縁４５ｄは、それぞれ、第１基部２５の第１縁２５ｃ又は第２縁２５ｄと向かい合って、第２方向ｄ２に延びる。
【００４４】
また、第２基部４５には、第１縁４５ｃに通じる欠損部４９を含んでいる。この欠損部４９は、第１基部２５の欠損部２９及び延長部３０の欠損部３４とともに、ブリスターパック１０の溝１６を形成する。第２基部４５の欠損部４９は、第１基部２５の欠損部２９と同一形状を有している。
【００４５】
図３に示すように、図示された一具体例での第２基部４５は、膨出部を含むことなく、平坦部４６のみによって形成されている。平坦部４６は、或る平面上に広がっている。ただし、この例に限られず、第１基部２５の膨出部２７に代えて又は第１基部２５の膨出部２７に加えて、第２基部４５が膨出部を含むようにしてもよい。
【００４６】
第２部品４０は、例えば、樹脂製シートから作製される。ただし、図示された例のように、第２部品４０が、平面状の第２基部４５のみからなる場合には、紙、とりわけ厚紙を用いて作製されてもよい。紙等からなる第２基部４５及び第２部品４０は、印刷等による種々の装飾を施し易い点において好ましい。
【００４７】
次に、以上の構成からなる第１部品２０及び第２部品４０を組み立ててブリスターパック１０を作製する手順について説明する。
【００４８】
まず、第１部品２０の膨出部２７内に、包装対象品を収容する。このとき、図２に示すように、延長部３０は、第１基部２５と第１方向ｄ１において重ならない位置に配置する。すなわち、第１基部２５及び延長部３０は、第１方向ｄ１にずらして配置する。揺動部３５も、第１基部２５と重なり合わない位置に、言い換えると第１基部２５の欠損部２９内に、配置する。次に、図４に示すように、第２基部４５の一対の側縁４５ａ，４５ｂが、第１基部２５と第１折曲側縁部２１ａ及び第２折曲側縁部２１ｂとによって形成された保持溝２２内に位置するように、第２部品４０を第１部品２０に対して位置決めする。このとき、第２基部４５の側縁４５ａ，４５ｂのうちの第２縁４５ｄ側となる端部を、保持溝２２の第１縁２５ｃ側となる端部に挿入する。
【００４９】
その後、図４に示すように、第２部品４０を第１部品２０に対して第１方向ｄ１に相対移動させる。最終的に、第２基部４５の第２縁４５ｄが、第１基部２５と第３折曲側縁部２１ｄとによって形成された保持溝２２内に収納される。このとき、第２基部４５と第１基部２５が重なり合い、第２基部４５の一対の側縁４５ａ，４５ｂ、第１縁４５ｃ及び第２縁４５ｄが、それぞれ、第１基部２５の一対の側縁２５ａ，２５ｂ、第１縁２５ｃ又は第２縁２５ｄと重なり合う。また、第２基部４５に形成された欠損部４９が、第１基部２５に形成された欠損部２９と重なり合うようになる。
【００５０】
次に、図５に示すように、揺動部３５を第１基部２５に対して揺動させる。より具体的には、揺動部３５と第１基部２５との間に第２基部４５が位置するように（図７に示された位置関係のように）、第１基部２５に対して揺動部３５を揺動させる。これにより、第１部品２０と第２部品４０との第１方向ｄ１に沿った相対移動が規制されるようになる。また、第１部品２０と第２部品４０との間の隙間が、揺動部３５によって塞がれるようになる。
【００５１】
なお、図示された揺動部３５は、第３揺動軸線ｄｓ３を中心として第１基部２５に対して揺動可能に接続した揺動連結部３６と、第４揺動軸線ｄｓ４を中心として揺動連結部３６に対して揺動可能に接続した揺動本体部３７と、を有している。図７に示すように、揺動連結部３６が所定の長さを有することで、好ましくは揺動連結部３６が第２基部４５の厚み以上の長さを有することで、所定の厚みを有した第２基部４５を間に挟みながら、第１部品２０を安定して折り曲げることができる。
【００５２】
その後、図６及び図７に示すように、延長部３０を第１基部２５に対して揺動させる。より具体的には、延長部３０と第１基部２５との間に第２基部４５が位置するように、第１基部２５に対して延長部３０を揺動させる。これにより、第１部品２０と第２部品４０との第１方向ｄ１に沿った相対移動が規制されるようになる。また、第１部品２０と第２部品４０との間の隙間が、延長部３０によって塞がれるようになる。
【００５３】
なお、図示された延長部３０は、第１揺動軸線ｄｓ１を中心として第１基部２５に対して揺動可能に接続した延長連結部３１と、第２揺動軸線ｄｓ２を中心として延長連結部３１に対して揺動可能に接続した延長本体部３２と、を有している。図７に示すように、延長連結部３１が所定の長さを有することで、好ましくは延長連結部３１が第２基部４５の厚み以上の長さを有することで、所定の厚みを有した第２基部４５を間に挟みながら、第１部品２０を安定して折り曲げることができる。
【００５４】
さらに、図６に示すように、延長部３０のうちの、第１方向ｄ１における第１縁２５ｃから離間する側に位置し且つ第２方向ｄ２における両縁部となる領域を、第１基部２５と第１折曲側縁部２１ａ及び第２折曲側縁部２１ｂとによって形成された保持溝２２内に差し込む。これにより、延長部３０の第１基部２５に対する揺動を規制することができる。このとき、図７に示すように、溝１６に対してフック１５側とは反対側から隣接する領域において、延長部３０、揺動部３５、第２基部４５、第１基部２５の順番で重なるようになる。そして、延長部３０の第１基部２５に対する揺動が規制されることから、揺動部３５の第１基部２５に対する揺動も規制することができる。
【００５５】
以上の手順にて、第１部品２０によって第２部品４０を保持することができ、これにより、ブリスターパック１０に包装対象品を収容してなる包装製品Ｐが得られる。なお、必要に応じて、テープ等を用いて、延長部３０及び揺動部３５を第１基部２５に対して固定するようにしてもよい。ブリスターパック１０は、フック１５が陳列用棒ｒに掛けられることにより、吊り下げられる。このとき、ブリスターパック１０の第１縁１０ｃが、鉛直方向における上側に位置し、ブリスターパック１０の第２縁１０ｄが、鉛直方向における下側に位置するようになる。
【００５６】
以上に説明した一実施の形態において、ブリスターパック１０は、第１部品２０と、第１部品２０に保持される第２部品４０と、を有しており、第１部品２０と第２部品４０との間に収容空間Ｓを形成する。第１部品２０は、第１基部２５と、第１基部２５の第１縁２５ｃに揺動可能に接続した延長部３０と、を有している。第２部品４０は、第１部品２０に保持された状態で第１基部２５と重ねて配置される第２基部４５を有している。延長部３０と第１基部２５との間に第２基部４５が位置するようにして延長部３０を第１基部２５に対して揺動させた状態で、延長部３０、第２基部４５及び第１基部２５を貫通してブリスターパック１０の周縁１０ｃまで延びる溝１６が設けられている。そして、溝１６に隣接する位置に、延長部３０、第２基部４５及び第１基部２５によって、ブリスターパック１０を吊り下げるためのフック１５が形成されている。
【００５７】
このような本実施の形態によれば、フック１５が、第１部品２０の第１基部２５及び第２部品４０の第２基部４５に加えて、第１部品２０の延長部３０を含んでいる。これにより、フック１５が十分な剛性を有するようになり、陳列用棒ｒに安定して吊り下げることが可能となる。また、陳列用棒ｒに吊り下げられた状態で上方を向くブリスターパック１０の第１縁１０ｃにおいて、第１部品２０と第２部品４０との間の隙間は、第１部品２０の延長部３０によって塞がれている（図７）。したがって、第１部品２０及び第２部品４０との間に形成される収容空間Ｓに、埃等の異物が進入することを延長部３０によって効果的に抑制することができる。すなわち、第１部品２０及び第２部品４０が熱溶着等によって密閉されていないブリスターパック１０を、例えば第１部品２０の保持溝２２を利用して第２部品４０を第１部品２０に保持する挟み込み式のブリスターパック１０を、フック１５を用いて陳列用棒ｒへ安定して吊り下げることを可能にし、併せて、収容空間Ｓへの異物の進入を効果的に抑制することができる。この結果、これまで適用が難しいとされてきた人の口に入る可能性のある日用品や乳幼児用品（例えば、箸、とりわけ乳幼児用の箸）等の分野への、熱溶着式以外のブリスターパックの適用が可能になる。
【００５８】
また、上述した一具体例において、第１基部２５は、延長部３０が接続した第１縁２５ｃの両側に位置する一対の側縁２５ａ，２５ｂを、更に含んでいる。第１部品２０は、一対の側縁２５ａ，２５ｂの少なくとも一方において第１基部２５に接続し且つ第１基部２５との間に保持溝２２を形成する折曲側縁部２１を、更に有している。第２部品４０は、第２基部４５の側縁４５ａ，４５ｂが保持溝２２内に配置されることで、第１部品２０によって保持される。延長部３０と第１基部２５との間に第２基部４５が位置するように延長部３０を第１基部２５に対して揺動させた状態で、延長部３０の一部が保持溝２２内に配置される。この例によれば、保持溝２２を用いて、第１部品２０と延長部３０との収容空間Ｓに通じる隙間を塞いだ状態に延長部３０を維持することができる。保持溝２２は、第１部品２０による第２部品４０の保持を目的として設置されており、この保持溝２２を利用することで、部品点数を増加させることなく、収容空間Ｓへの異物の進入を効果的に抑制することができる。また、ブリスターパック１０の状態が安定するので、さらに、フック１５の剛性が向上し、陳列用棒ｒに安定して吊り下げることができる。
【００５９】
さらに、上述した一具体例において、第１部品２０は、一対の側縁２５ａ，２５ｂの各々において第１基部２５に接続し且つ第１基部２５との間に保持溝２２をそれぞれ形成する一対の折曲側縁部２１ａ，２１ｂを、更に有している。第２部品４０は、第２基部４５の一対の側縁４５ａ，４５ｂが保持溝２２内に配置されることで、第１部品２０によって保持される。第１基部２５の一対の側縁２５ａ，２５ｂを結ぶ方向に沿った延長部３０の幅Ｗは、第１方向ｄ１において第１縁２５ｃから離間した領域、より具体的には、保持溝２２内に収容される部分を含んだ第１方向ｄ１における一部の領域において、第１基部２５の第１縁２５ｃから離間するにつれて狭くなっていく。この例によれば、延長部３０を保持溝２２内に容易に挿入することができる。
【００６０】
さらに、第１基部２５との間で第２基部４５を挟む位置に揺動した延長部３０は、第２基部４５が厚みを有することから、第２基部４５から離れるよう揺動し易くなる。しかしながら、上述した一具体例において、延長部３０は、第１基部２５に揺動可能に接続した延長連結部３１と、延長連結部３１に延長本体部３２と、を有している。延長連結部３１が、一定の長さを有することで、好ましくは、第２基部４５の厚さ以上の長さを有することで、延長部３０が第２基部４５から離間するように揺動することを効果的に抑制することができる。
【００６１】
さらに、フック１５を形成するための溝１６を設けた場合、溝１６に隣接する位置において、第１部品２０と第２部品４０との間に収容空間Ｓに通じる隙間が開いてしまう可能性がある。これに対して上述した一具体例によれば、第１部品２０は、溝１６に隣接する第１基部２５の縁２５ｅにおいて第１基部２５に揺動可能に接続した揺動部３５を有している。そして、揺動部３５と第１基部２５との間に第２部品４０が位置するように第１基部２５に対して延長部３０を揺動させることができる。この延長部３０によって、溝１６に隣接する位置に形成される第１部品２０と第２部品４０との間の隙間を塞ぐことができる。したがって、第１部品２０及び第２部品４０との間に形成される収容空間Ｓに、異物が進入することをより効果的に抑制することができる。また、揺動部３５は、上述した例では本来廃棄すべき部分３５を残すことで、作製される。そして、揺動部３５を設けることで、フック１５を画成する溝１６の近傍における剛性をさらに改善することができる。
【００６２】
さらに、上述した一具体例において、揺動部３５が接続する第１基部２５の縁２５ｅは、溝１６に対して、延長部３０が接続する第１基部２５の第１縁２５ｃから離間する側に位置している。すなわち、揺動部３５は、溝１６に隣接する第１部品２０及び第２部品４０の隙間のうちの、ブリスターパック１０が陳列用棒ｒに吊り下げられた状態で上方を向く隙間を塞ぐことができる。これにより、第１部品２０及び第２部品４０との間に形成される収容空間Ｓに、異物が進入することをより効果的に抑制することができる。
【００６３】
さらに、上述した一具体例において、延長部３０が接続する第１基部２５の縁２５ｅは、第１基部２５部の一対の側縁２５ａ，２５ｂが延びる方向において、折曲側縁部２１が設けられている領域内に配置されている。折曲側縁部２１が設けられている領域では、第２基部４５が保持溝２２に保持されており、したがって、第１部品２０と第２部品４０との間の隙間が大きく開き難くなっている。これにより、第１部品２０及び第２部品４０との間に形成される収容空間Ｓに、異物が進入することをより効果的に抑制することができる。
【００６４】
さらに、第１基部２５との間で第２基部４５を挟む位置に揺動した揺動部３５は、第２基部４５が厚みを有することから、第２基部４５から離れるよう揺動し易くなる。しかしながら、上述した一具体例において、揺動部３５は、第１基部２５に揺動可能に接続した揺動連結部３６と、揺動連結部３６に揺動可能に接続した揺動本体部３７と、を有している。揺動連結部３６が、一定の長さを有することで、好ましくは、第２基部４５の厚さ以上の長さを有することで、揺動部３５が第２基部４５から離間するように揺動することを効果的に抑制することができる。
【００６５】
さらに、上述した一具体例において、延長部３０と第１基部２５との間に第２基部４５が位置するように延長部３０を第１基部２５に対して揺動させ、且つ、揺動部３５と第１基部２５との間に第２基部４５が位置するように揺動部３５を第１基部２５に対して揺動させた状態において、延長部３０及び揺動部３５は、少なくとも部分的に重なり合うようになる。このような例によれば、延長部３０又は揺動部３５のいずれか一方を第１基部２５に対して揺動しないように固定することで、例えば保持溝２２やテープ等を利用して固定することで、延長部３０又は揺動部３５の他方の第１基部２５に対する揺動も規制することができる。
【００６６】
さらに、上述した一具体例では、ブリスターパック１０の少なくとも一部分において、延長部３０、揺動部３５、第２基部４５、第１基部２５の順番で重なり合うようになる。このような例によれば、延長部３０を第１基部２５に対して揺動しないように処置することで、例えば延長部３０を保持溝２２で保持することで、揺動部３５の第１基部２５に対する揺動も規制することができる。
【００６７】
以上において、一実施の形態を図示された具体例に基づいて説明してきたが、これらの具体例が一実施の形態を限定することを意図していない。上述した一実施の形態は、その他の様々な具体例で実施されることが可能であり、その要旨を逸脱しない範囲で、種々の省略、置き換え、変更を行うことができる。
【００６８】
以下、図面を参照しながら、変形の一例について説明する。以下の説明および以下の説明で用いる図面では、上述した具体例と同様に構成され得る部分について、上述の具体例における対応する部分に対して用いた符号と同一の符号を用いるとともに、重複する説明を省略する。
【００６９】
上述した具体例において、溝１６が、ブリスターパック１０の周縁として、第１縁２５ｃに開口している例を示したが、この例に限られない。例えば、溝１６が、ブリスターパック１０の周縁として、第１側縁２５ａに開口していてもよい。また、溝１６が、ブリスターパック１０の周縁として、第１側縁２５ａ及び第１縁２５ｃに開口し、図１における部分Ａが削除されるようにしてもよい。
【００７０】
また、上述した具体例において、揺動部３５が延長部３０よりも先に揺動される例を示したが、この例に限られない。例えば、図８及び図９に示された例のように、保持溝２２を利用して第２部品４０を第１部品２０によって保持した後、まず、延長部３０と第１基部２５との間に第２基部４５が位置するように、延長部３０を第１基部２５に対して揺動させるようにしてもよい。この延長部３０の揺動時、揺動部３５は、第１基部２５の欠損部２９内に配置される（図２における揺動部３５の位置）。揺動部３５は、延長部３０を揺動させた後、揺動部３５と第１基部２５との間に第２基部４５が位置するように、第１基部２５に対して揺動させられる。
【００７１】
この例では、図９に示すように、溝１６に対してフック１５側とは反対側から隣接する領域において、揺動部３５、延長部３０、第２基部４５、第１基部２５の順番で重なるようになる。このような例によれば、揺動部３５を第１基部２５に対して揺動しないように固定することで、例えばテープ等を用いて揺動部３５を第１基部２５に固定することで、延長部３０の第１基部２５に対する揺動も規制することができる。
【００７２】
なお、図８及び図９に示された例において、揺動部３５は、第１基部２５の第１縁２５ｃから離間する側に突出した突出部３８を有している。一方、延長部３０は、突出部３８を差し込み可能な穴３３を設けられている。そして、揺動部３５の突出部３８は、延長部３０の穴３３内に挿入されている。そして、揺動部３５の第１基部２５に対する揺動軸線ｄｓ３，ｄｓ４が延長部３０の第１基部２５に対する揺動軸線ｄｓ１，ｄｓ２から第１方向ｄ１にずれているため、突出部３８を穴３３内に差し込むことによって、揺動部３５の第１基部２５に対する揺動および延長部３０の第１基部２５に対する揺動の両方を規制することができる。このような例によれば、揺動部３５を延長部３０に対して安定して且つ簡単に固定することできる。この結果、延長部３０及び揺動部３５の第１基部２５に対する自由な揺動が規制される。これにより、収容空間Ｓへの異物の進入を効果的に抑制することができる。併せて、フック１５の近傍におけるブリスターパック１０の剛性を効果的に向上させることができ、したがって、陳列用棒ｒにより安定して吊り下げることができる。
【００７３】
さらに、上述した具体例において、揺動部３５は、溝１６の中間部１６ｄ及び先端部１６ｅを合わせた形状を有していたが、この例に限られず、例えば、揺動部３５は、基端部１６ｃ及び中間部１６ｄを合わせた形状を有するようにしてもよいし、基端部１６ｃ、中間部１６ｄ及び先端部１６ｅを合わせた形状を有するようにしてもよい。いずれにしても、溝１６を形成するための欠損部２９の作製のために廃棄すべき部位を利用して揺動部３５を作製することになるので、材料の有効利用や剛性向上の面で都合が良い。
【００７４】
さらに、上述した例において、第１部品２０及び第２部品４０が別途の部品として作製されている例を示したが、この例に限られない。例えば、第１基部２５の第２側縁２５ｂと第２基部４５の第２側縁４５ｂとが揺動可能に接続しており、第２基部４５の第１側縁４５ａを、第１基部２５と第１折曲側縁部２１ａとの間に形成された保持溝２２に差し込むことによって、第２部品４０を第１部品２０で保持するようにしてもよい。このような例によっても、第１部品２０及び第２部品４０の間の隙間を延長部３０や揺動部３５によって塞ぐことで、収容空間Ｓへの異物の進入を効果的に抑制することができる。また、第２部品４０によって、フック１５の剛性を向上させることもできる。
【００７５】
さらに、他の実施の形態におけるブリスターパック１０は、第１部品２０と、第１部品２０に保持される第２部品４０と、を備え、第１部品２０と第２部品４０との間に収容空間Ｓを形成する。第１部品２０は、第１基部２５と、第１基部２５の第１縁２５ｃに揺動可能に接続した延長部３０と、を有する。第２部品４０は、第１部品２０に保持された状態で第１基部２５と重ねて配置される第２基部４５を有する。延長部３０と第１基部２５との間に第２基部４５が位置するようにして延長部３０を第１基部２５に対して揺動させた状態で、延長部３０、第２基部４５および第１基部２５を貫通する吊り下げ用の孔１７（図１の二点鎖線）または溝１６が設けられている。
【００７６】
このような他の実施の形態によるブリスターパック１０によれば、孔１７や溝１６を形成するための欠損部２９，３４，４９が、第１部品２０の第１基部２５及び第２部品４０の第２基部４５に加えて、第１部品２０の延長部３０にも形成されるようになる。これにより、ブリスターパック１０が、孔１７や溝１６の周囲においても、十分な剛性を有するようになる。この結果、孔１７や溝１６に陳列用棒ｒを通すことで、ブリスターパック１０を安定して吊り下げることが可能となる。また、陳列用棒ｒに吊り下げられた状態で上方を向くブリスターパック１０の第１縁１０ｃにおいて、第１部品２０と第２部品４０との間の隙間は、第１部品２０の延長部３０によって塞がれている。したがって、第１部品２０及び第２部品４０との間に形成される収容空間Ｓに、埃等の異物が進入することを効果的に抑制することができる。すなわち、第１部品２０及び第２部品４０が熱溶着等によって密閉されていないブリスターパック１０を、例えば第１部品２０の保持溝２２によって第２部品４０を第１部品２０に取り付ける挟み込み式のブリスターパック１０を、陳列用棒ｒへ安定して吊り下げることを可能にし、併せて、収容空間Ｓへの異物の進入を効果的に抑制することができる。この結果、これまで挟み込み式のブリスターパックの適用が難しいとされてきた、人の口に入る可能性のある日用品や乳幼児用品等の分野への熱溶着式以外のブリスターパックの適用が可能になる。
【符号の説明】
【００７７】
１０    ブリスターパック
１０ａ  第１側縁
１０ｂ  第２側縁
１０ｃ  第１縁
１０ｄ  第２縁
１５    フック
１６    溝
１６ａ  開口
１６ｂ  先端
１６ｃ  基端部
１６ｄ  中間部
１６ｅ  先端部
１７    孔
２０    第１部品
２１    折曲側縁部
２１ａ  第１折曲側縁部
２１ｂ  第２折曲側縁部
２１ｄ  第３折曲側縁部
２２    保持溝
２５    第１基部
２５ａ  第１側縁
２５ｂ  第２側縁
２５ｃ  第１縁
２５ｄ  第２縁
２５ｅ  縁
２６    平坦部
２７    膨出部
２９    欠損部
３０    延長部
３１    延長連結部
３２    延長本体部
３３    穴
３４    欠損部
３５    揺動部
３６    揺動連結部
３７    揺動本体部
３８    突出部
４０    第２部品
４５    第２基部
４５ａ  第１側縁
４５ｂ  第２側縁
４５ｃ  第１縁
４５ｄ  第２縁
４６    平坦部
４９    欠損部
ｄ１    第１方向
ｄ２    第２方向
Ｐ      包装製品
ｒ      陳列用棒
Ｓ      収容空間
ｄｓ１  第１揺動軸線
ｄｓ２  第２揺動軸線
ｄｓ３  第３揺動軸線
ｄｓ４  第４揺動軸線
【図１】
2019006440.tif 000003
【図２】
2019006440.tif 000004
【図３】
2019006440.tif 000005
【図４】
2019006440.tif 000006
【図５】
2019006440.tif 000007
【図６】
2019006440.tif 000008
【図７】
2019006440.tif 000009
【図８】
2019006440.tif 000010
【図９】
2019006440.tif 000011